(57)【特許請求の範囲】
【請求項１】
複数の店舗を統括する本部に設置されるクライアント端末と印判販売者側に設置されるサーバーとをネットワークで接続してなり、前記サーバーは、本部が統括する各店舗に係るデータを管理する店舗情報テーブルと、各店舗で使用される印判の印影に係るデータを管理する印影情報テーブルと、各店舗で使用される印判の生産に必要なデータを管理する生産情報テーブルと、各店舗で使用する印判の印面レイアウトイメージデータを格納した印面レイアウトファイルと、前記クライアント端末からの所定の店舗の印影新規登録要求に基づいて、前記店舗情報テーブルから得られる所定の店舗のデータと前記印面レイアウトイメージデータを基に所定の店舗の印影イメージを生成してこれを前記クライアント端末に表示し、該クライアント端末に表示された印影イメージから得られるデータを前記印影情報テーブルに格納する印影新規登録処理部と、前記クライアント端末からの所定の店舗の印判発注要求に基づいて、前記印影情報テーブルから得られる所定の店舗の印判の生産に必要なデータを前記生産情報テーブルに格納する印判発注処理部を備えていることを特徴とする印影管理システム。
【請求項２】
前記サーバーは、前記クライアント端末からの所定の店舗の印影追加登録要求に基づいて、前記店舗情報テーブルから得られる所定の店舗のデータと前記印面レイアウトイメージデータを基に所定の店舗の印影イメージを生成すると共に、前記印影情報テーブルから得られる所定の店舗のデータを基に異形データを生成してこれを前記印影イメージに付加し、この異形データを付加した印影イメージを前記クライアント端末に表示し、該クライアント端末に表示された異形データが付加された印影イメージから得られるデータを前記印影情報テーブルに格納する印影追加登録処理部を備えていることを特徴とする請求項１に記載の印影管理システム。
【請求項３】
前記サーバーは、前記クライアント端末からの所定の店舗の店舗情報閲覧要求に基づいて、前記印影情報テーブルから得られる所定の店舗のデータと前記印面レイアウトイメージデータを基に所定の店舗の印影イメージを生成し、該印影イメージを前記店舗情報テーブルから得られる所定の店舗のデータと共に前記クライアント端末に表示する店舗情報閲覧処理部を備えていることを特徴とする請求項１又は請求項２に記載の印影管理システム。
【発明の詳細な説明】
【０００１】
【発明の属する技術分野】
本発明は、コンビニエンスストア等の店舗で収納印や受領印として使用される印判の印影に係る情報を管理する印影管理システムに関する。
【０００２】
【従来の技術】
近年、コンビニエンスストアの店舗数が全国規模で急速に増加してきている。このコンビニエンスストアは通常、店舗のオーナーとなる人がコンビニエンスストアの親会社である本部とフランチャイズ契約を結び、その本部のチェーン店となって経営が行われており、コンビニエンスストアの各店舗で使用される備品の発注業務は通常、各店舗を統括する本部が各店舗からの依頼を受けて行うものとなっている。
【０００３】
そして、コンビニエンスストアの各店舗で使用される備品の一つに印判があり、中でも、印面がコンビニエンスストア名や店舗名やオーナー名等を示す固定印字部と年月日を示す可変印字部からなるデータ印と呼ばれる印判は、電気・水道・ガス・電話などの公共料金や通信販売により購入した商品の代金等の各種料金の代行収納を行うコンビニエンスストアでは主に収納印や受領印として用いられるもので使用頻度も非常に高いものである。例えば、コンビニエンスストアの店員は顧客から料金の払込の依頼を受けると、顧客が持参した払込用紙を基に料金の収納を行い、その払込用紙にある払込依頼書の収納印捺印欄と受領書の受領印捺印欄に前記した形態の印判を捺印し、払込依頼書はコンビニエンスストアの店舗で控として保管し、受領書を顧客に渡している。そして、受領印が捺印された受領書は、顧客にとって受領印の印影が示すコンビニエンスストアの店舗でその印影が示す日に間違いなく料金の払込を行ったという証となり、収納印が捺印された払込依頼書は、その収納印の印影が示すコンビニエンスストアの店舗にとってその印影が示す日に間違いなく料金の収納を行ったという証となる。このように収納印や受領印として用いられる印判は各種料金の代行収納を行うコンビニエンスストアにとっては必需品である。
【０００４】
【発明が解決しようとする課題】
コンビニエンスストアの各店舗で使用される備品の発注業務は前記したように各店舗を統括する本部が各店舗から依頼を受けて行うもので、前記したような収納印や受領印として使用される印判に関しても同様であるが、各店舗で使用されるこの種の印判の印影は店舗ごとに異なるものであるため、この種の印判を発注する際には各店舗ごとに印面文字や印面レイアウトをどのようにするか指定する必要がある。ところが、コンビニエンスストアの店舗数は急速に増加していることから、コンビニエンスストアの各店舗を統括する本部では、店舗数が増えるごとにその店舗で使用される印判の印面文字や印面レイアウトを発注用紙に記入し、その発注用紙を印判販売者宛に送付して印判の発注をしなければならず、このような印判の発注作業は非常に面倒なものであった。
【０００５】
又、払込用紙の払込依頼書の収納印欄や受領書の受領印欄に捺印された印判の印影が、本当にその印影が示す店舗で使用している印判のものなのかを本部で確認したい場合には、その店舗に問い合わせて確認をとるか、印判を発注する際に記入した発注用紙の写しを確認する他には手段はなく、各店舗で使用している印判の印影を本部で簡単に確認することはできなかった。
【０００６】
更に、コンビニエンスストアの各店舗における印判の管理体制は万全でなく、収納印や受領印として使用される印判が偽造されたり、紛失してしまうこともある。このように印判が偽造されたり紛失したりすると、偽造された印判や紛失した印判が払込の済んでいない払込用紙の受領書の受領印欄に捺印され、実際には払込の済んでない料金を払込済であると見せかけるような不正行為が生じる恐れがある。
【０００７】
そこで、本発明はコンビニエンスストアの各店舗で収納印や受領印として使用される印判の発注作業を簡略化することができ、又、コンビニエンスストアの各店舗で収納印や受領印として使用されている印判の印影を、各店舗を統括する本部で簡単に確認することができ、更には前記したような不正行為の防止を図ることもできる印影管理システムを提供することを目的とする。
【０００８】
【課題を解決するための手段】
本発明は前記課題を解決するために、複数の店舗を統括する本部に設置されるクライアント端末と印判販売者側に設置されるサーバーとをネットワークで接続してなり、前記サーバーは、本部が統括する各店舗に係るデータを管理する店舗情報テーブルと、各店舗で使用される印判の印影に係るデータを管理する印影情報テーブルと、各店舗で使用される印判の生産に必要なデータを管理する生産情報テーブルと、各店舗で使用する印判の印面レイアウトイメージデータを格納した印面レイアウトファイルと、前記クライアント端末からの所定の店舗の印影新規登録要求に基づいて、前記店舗情報テーブルから得られる所定の店舗のデータと前記印面レイアウトイメージデータを基に所定の店舗の印影イメージを生成してこれを前記クライアント端末に表示し、該クライアント端末に表示された印影イメージから得られるデータを前記印影情報テーブルに格納する印影新規登録処理部と、前記クライアント端末からの所定の店舗の印判発注要求に基づいて、前記印影情報テーブルから得られる所定の店舗の印判の生産に必要なデータを前記生産情報テーブルに格納する印判発注処理部を備えていることを特徴とする印影管理システムである。
【０００９】
又、前記サーバーは、前記クライアント端末からの所定の店舗の印影追加登録要求に基づいて、前記店舗情報テーブルから得られる所定の店舗のデータと前記印面レイアウトイメージデータを基に所定の店舗の印影イメージを生成すると共に、前記印影情報テーブルから得られる所定の店舗のデータを基に異形データを生成してこれを前記印影イメージに付加し、この異形データを付加した印影イメージを前記クライアント端末に表示し、該クライアント端末に表示された異形データが付加された印影イメージから得られるデータを前記印影情報テーブルに格納する印影追加登録処理部を備えていることを特徴とする印影管理システムである。
【００１０】
又、前記サーバーは、前記クライアント端末からの所定の店舗の店舗情報閲覧要求に基づいて、前記印影情報テーブルから得られる所定の店舗のデータと前記印面レイアウトイメージデータを基に所定の店舗の印影イメージを生成し、該印影イメージを前記店舗情報テーブルから得られる所定の店舗のデータと共に前記クライアント端末に表示する店舗情報閲覧処理部を備えていることを特徴とする印影管理システムである。
【００１１】
【発明の実施の形態】
以下、本発明の一実施の形態を説明する。図１は本発明の一実施の形態におけるシステム全体の構成図である。本実施の形態のシステムは印判販売者側に設置されるサーバー１にコンビニエンスストアの各店舗を統括する本部に設置されるクライアント端末２がネットワーク３を介して接続してなるものである。尚、ネットワーク３はインターネットやイントラネットといったネットワークシステムである。
【００１２】
サーバー１は図１に示すように制御装置６と記憶装置７を有するものである。制御装置６は本システムの各種処理を実行するマイクロプロセッサや、マイクロプロセッサの動作を制御する各種プログラムやデータを記憶するＲＯＭやＲＡＭといったメモリ等から構成されるもので、クライアント端末２から送信される各種要求に基づいて各種のデータ処理を実行するものである。記憶装置７はハードディスク装置や光磁気ディスク装置等の記憶装置であり、コンビニエンスストアの各店舗に係るデータを管理する店舗情報テーブル８とコンビニエンスストアの各店舗で収納印や受領印として使用される印判の印影に係るデータを管理する印影情報テーブル９とを格納したデータベース１２と、各店舗で収納印や受領印として使用される印判の各店舗共通の印面レイアウトイメージデータを格納する印面レイアウトファイル１０と、各店舗で収納印や受領印として使用される印判を生産するのに必要となるデータを管理する生産情報テーブル１１を格納したデータベース１３を備えている。
【００１３】
店舗情報テーブル８は図２に示すように店舗ＩＤ２０１、店舗名２０２、オーナー名字２０３、オーナー名前２０４、印影登録数２０５から構成されるものであり、印影情報テーブル９は図３に示すように印影ＩＤ３０１、店舗ＩＤ３０２、印面レイアウトイメージデータポインタ３０３、印面テキストデータ３０４、発注フラグ３０５、追加登録回数３０６から構成されるものであり、生産情報テーブル１１は図４に示すように受付ＩＤ４０１、受付日４０２、印面レイアウト枠４０３、印面書体４０４、店名ロゴデータポインタ４０５、印面文字ａ４０６、印面文字ｂ４０７から構成されるものである。
【００１４】
そして、生産情報テーブル１１は、印判販売者側の生産部門で使用されている印判生産用の端末やサーバーに備えられた印判の生産に必要なデータを管理する生産用テーブルと同一の構造を有するものであり、生産部門の担当者がサーバー１の生産情報テーブル１１にアクセスして、そこに格納されたデータを生産部門側の生産用テーブルに格納することにより、生産情報テーブル１１のデータは印判の生産に利用されることとなる。尚、店舗情報テーブル８と印影情報テーブル９はデータベース１２に格納され、生産情報テーブル１１はデータベース１３に格納されるものである。
【００１５】
クライアント端末２は、各種データや指令を入力するためのキーボードやマウス等からなる入力装置４と、各種の表示データを表示するためのＣＲＴディスプレイや液晶ディスプレイ等からなる表示装置５を有するパーソナルコンピュータもしくはワークステーションである。このクライアント端末２にはインターネット上の各種情報を閲覧するためのアプリケーションであるネットスケープナビゲーター（Ｎｅｔｓｃａｐｅ Ｃｏｍｍｕｎｉｃａｔｉｏｎ社商品名）やインターネットエクスプローラー（Ｍｉｃｒｏｓｏｆｔ社商品名）に代表されるＷｅｂブラウザが搭載されており、本実施の形態のシステムではこのＷｅｂブラウザを用いてクライアント端末２とサーバー１のデータ通信を行うものとしている。
【００１６】
次に、本実施の形態のシステムの動作について説明する。尚、クライアント端末２における各種データや指令の入力は全て入力装置４を操作して行うものである。
【００１７】
−店舗情報登録−
まず、本部が統括する店舗の情報を新規に登録する際の処理手順を説明する。この店舗情報の登録処理は、本部側のクライアント端末２を操作して本部側で行っても、サーバー１に接続している印判販売者側の端末を操作して印判販売者側で行ってもどちらでもよいものであり、印判販売者側で行う場合には、印判販売者側は本部から各店舗の情報を予め入手し、その情報を基に行うこととなる。尚、ここでは本部側のクライアント端末２を操作して、本部の担当者が店舗情報の登録処理を行うものとして、以下、図５のフロチャートを基にして説明する。
【００１８】
コンビニエンスストアの各店舗を統括する本部の担当者がクライアント端末２のＷｅｂブラウザを起動してネットワーク３を介してサーバー1に接続すると、サーバー１の制御装置６は表示処理部１４により図６に示す初期画面をクライアント端末２に転送してクライアント端末２の表示装置５に表示させる（ステップＳ１）。ここで、サーバー１からクライアント端末２に転送され表示装置５に表示される各種画面は、「ＨＴＭＬ（Hyper Text Markup Language）」といったＷｅｂページ記述言語や「ＡＳＰ（Active Server Pages）」といったサーバーサイドスクリプトを用いて生成されるＷｅｂブラウザ上で閲覧可能な表示データである。
【００１９】
次に、担当者は表示装置５に表示された初期画面（図６）の中から「店舗情報登録」の文字をクリックして、店舗情報登録処理開始の要求をサーバー１に送信する（ステップＳ２）。サーバー１がその要求を受信すると制御装置６の店舗情報登録処理部１４が起動して、店舗情報登録処理部１４は図７に示す店舗情報登録画面をクライアント端末２に転送し（ステップＳ３）、その画面を表示装置５に表示させる（ステップＳ４）。この店舗情報登録画面は、店舗ＩＤ入力フィールド７０１と店舗名入力フィールド７０２とオーナー名字入力フィールド７０３とオーナー名前入力フィールド７０４を有するものであり、担当者はその店舗情報登録画面の各入力フィールドに登録する店舗の店舗ＩＤと店舗名とオーナー名字とオーナー名を入力する（ステップＳ５）。
【００２０】
そして、担当者は店舗情報登録画面（図７）の各入力フィールドにデータを入力したら、その画面中の「登録ボタン」７０５をクリックして店舗情報登録の要求をサーバー１に送信する（ステップＳ６）。サーバー１がその要求を受信すると、店舗情報登録処理部１４は店舗情報登録画面（図７）の各入力フィールドに入力されたデータを読み込んで、その読み込んだデータを店舗情報テーブル８に格納する（ステップＳ７）。この時、店舗情報登録画面（図７）の店舗ＩＤ入力フィールド７０１、店舗名入力フィールド７０２、オーナー名字入力フィールド７０３、オーナー名前入力フィールド７０４に入力されたデータはそれぞれ図２に示す店舗情報テーブル８の店舗ＩＤ２０１、店舗名２０２、オーナー名字２０３、オーナー名前２０４に格納され、それらデータが格納された行の印影登録数２０５には初期値である“０”が自動的に格納される。尚、印影登録数２０５には、店舗情報テーブル８にデータが格納されている店舗について、後述する印影の登録処理が行われるごとに加算されるデータが格納されるもので、店舗情報テーブル８の店舗ＩＤ２０１、店舗名２０２、オーナー名字２０３、オーナー名前２０４にデータが格納された時点では、その行の印影登録数２０５には初期値である“０”が格納される。
【００２１】
そして、前記ステップＳ７の処理が完了すると、店舗情報登録処理部１４は店舗情報の登録処理が完了した旨のメッセージをクライアント端末２の表示装置５に表示させた後、図６の初期画面を再度クライアント端末２に転送し（ステップＳ８）、その画面を表示装置５に表示させる（ステップＳ９）。これにより一つの店舗についての店舗情報の登録処理が完了し、この処理を繰り返すことにより、他の店舗の店舗情報を登録することができる。尚、店舗情報登録処理を印判販売者側で行う場合においても、前記したステップＳ１からステップＳ９までの処理と同じ処理を行えば良い。
【００２２】
−印影新規登録―
次に、前記店舗情報登録処理により店舗情報が登録された店舗で収納印や受領印として使用される印判の印影を新規登録する際の処理手順を図８のフローチャートを基にして説明する。コンビニエンスストアの本部の担当者は、前記した店舗情報登録時と同様にクライアント端末２の表示装置に図６の初期画面を表示させて（ステップＳ１０１）、その画面中の「印影新規登録」の文字をクリックして、印影新規登録処理開始の要求をサーバー１に送信する（ステップＳ１０２）。サーバー１がその要求を受信すると制御装置６の印影新規登録処理部１５が起動して、印影新規登録処理部１５は図９に示す店舗情報検索画面をクライアント端末２に転送し（ステップＳ１０３）、その画面を表示装置５に表示させる（ステップＳ１０４）。この店舗情報検索画面は、検索対象となる店舗の店舗ＩＤを入力する店舗ＩＤ入力フィールド９０１と店舗名を入力する店舗名入力フィールド９０２を有するものであり、担当者はその店舗情報検索画面の店舗ＩＤ入力フィールド９０１又は店舗名入力フィールド９０２のどちらか一方に、印影の登録をしたい店舗の店舗ＩＤ又は店舗名を入力する。（ステップＳ１０５）
【００２３】
そして、担当者は店舗ＩＤ又は店舗名を入力したら「検索ボタン」９０３をクリックして店舗情報検索の要求をサーバー１に送信する（ステップＳ１０６）。サーバー１がその要求を受信すると、印影新規登録処理部１５は店舗情報検索画面（図９）の店舗ＩＤ入力フィールド９０１又は店舗名入力フィールド９０２に入力された店舗ＩＤ又は店舗名を読み込んで、その読み込んだ店舗ＩＤ又は店舗名を持つデータを店舗情報テーブル８の中から検索する（ステップＳ１０７）。
【００２４】
そして、該当するデータが検索されると、印影新規登録処理部１５は店舗情報テーブル８にて検索されたデータと印面レイアウトファイル１０に格納された印面レイアウトイメージデータを基に印影イメージを生成する（ステップＳ１０８）。この印影イメージの生成処理は、前記ステップＳ１０７の段階で店舗情報テーブル８から検索されたデータの店舗ＩＤ２０１と店舗名２０２に格納されたデータをそれぞれ印面テキストデータａ、印面テキストデータｂとして抽出し、その抽出した印面テキストデータａ、ｂと印面レイアウトファイル１０に格納された印面レイアウトイメージデータを合成するものである。尚、印面レイアウトファイル１０に格納された印面レイアウトイメージデータはＢＭＰ形式やＧＩＦ形式やＪＰＥＧ形式のイメージデータで、コンビニエンスストアの各店舗共通の店名ロゴと印面レイアウト枠からなるものである。
【００２５】
そして、前記した手順で印影イメージが生成されると、印影新規登録処理部１５は図１０に示す印影新規登録画面をクライアント端末２に転送し（ステップＳ１０９）、その画面を表示装置５に表示させる（ステップＳ１１０）。この印影新規登録画面は前記ステップＳ１０７の段階で店舗情報テーブル８から検索されたデータを店舗情報として表示する店舗情報表示領域１０１と、前記ステップＳ１０８の段階で生成された印影イメージを表示する印影表示領域１０２を備えているもので、図１０の例における店舗情報表示領域１０１に表示された店舗情報は、前記ステップＳ１０７の段階で店舗情報テーブル８から検索されたデータが、店舗ＩＤ２０１ “０１２３４”、店舗名２０２ “名古屋駅前”、オーナー名字２０３“山田”、オーナー名前２０４“太郎”、印影登録数２０５“０”に該当するものである。尚、店舗情報表示領域１０１に表示された店舗情報のオーナー名の項目は、前記ステップＳ１０７の段階で店舗情報テーブル８から検索されたデータのオーナー名字２０３“山田”とオーナー名前２０４“太郎”を組み合わせて、“山田太郎”と表示しているものである。
【００２６】
又、図１０の例における印影表示領域１０２に表示された印影イメージは、前記ステップＳ１０７の段階で店舗情報テーブル８から検索されたデータの店舗ＩＤ２０１“０１２３４”と店舗名２０２“名古屋駅前”をそれぞれ印面テキストデータａ、印面テキストデータｂとして抽出し、それら印面テキストデータａ、ｂと固定印字部の印面レイアウトイメージデータとを合成して生成されたものである。
【００２７】
又、図１０の印影新規登録画面は印面テキスト選択領域１０３を備えており、チェックボタン１０４、１０５のどちらか一方をクリックすることにより印影イメージの印面テキストデータｂを店舗名かオーナー名字のどちらにするかを選択できるようになっており、本実施の形態では、前記ステップＳ１０８の段階における印影イメージ生成時において印面テキストデータａ、ｂとして抽出するデータの初期設定をそれぞれ店舗情報テーブル８の店舗ＩＤ２０１と店舗名２０２にしてあるので、図１０の例における印面テキスト選択領域１０３では店舗名が選択された状態となって、印影表示領域１０２の印影イメージの印面テキストデータａ、ｂはそれぞれ店舗ＩＤ２０１の“０１２３４”と店舗名２０２の“名古屋駅前”となっている。そして、印面テキスト選択領域１０３のチェックボックス１０５をクリックしてオーナー名字を選択すると、印影表示領域１０２に表示された印影イメージの印面テキストデータｂの店舗名“名古屋駅前”はオーナー名字２０３の“山田”に変更される。
【００２８】
又、図１０の印影表示領域１０２に表示されている印影イメージの印面テキストデータｂの部分をダブルクリックすることにより印面テキストデータｂの表示領域がアクティブになって、その部分に任意のテキストデータを入力できるようにすることも可能であり、このようにすれば、前記した印面テキスト選択領域１０３により選択可能な印面テキストデータｂの内容以外の、例えばオーナー名を平仮名としたり、外字による特殊な漢字の表記にすることもできる。
【００２９】
次に、担当者は印影新規登録画面（図１０）の印影表示領域１０２に表示された印影イメージを確認し、その印影イメージを店舗で収納印や受領印として使用する印判の印影とすることに決定したら、その画面の「登録ボタン」１０６をクリックして印影新規登録の要求をサーバー1に送信する（ステップＳ１１１）。サーバー１がその要求を受信すると、印影新規登録処理部１５は印影新規登録画面（図１０）の印影表示領域１０２に表示された印影イメージを参照して、その印影イメージを生成する基となっているデータを印影情報テーブル９に格納し（ステップＳ１１２）、印影情報テーブル９にデータが格納されると、印影新規登録処理部１５は印影新規登録画面（図１０）の店舗情報表示領域１０１に表示された店舗情報の基となっている店舗情報テーブル８内のデータの印影登録数２０５を１加算する（ステップＳ１１３）。
【００３０】
ここで、前記ステップＳ１１２の段階で印影情報テーブル９に格納される、図１０の印影表示領域１０２に表示された印影イメージから得られるデータとして、図３の印影ＩＤ３０１には印影情報テーブル９にデータが格納されるごとに自動的に発生する追番、例えば“１”が格納され、店舗ＩＤ３０２には図１０の印影表示領域１０２に表示された印影イメージの印面テキストデータａに対応する店舗情報テーブル８内のデータの店舗ＩＤ２０１“０１２３４”が格納され、印面レイアウトイメージデータポインタ３０３には図８の印影表示領域８０２に表示された印影イメージの印面レイアウトイメージデータが実際に格納されている場所を特定する数値や記号などのデータ、例えば“１”が格納され、印面テキストデータ３０４には図１０の印影表示領域１０２に表示された印影イメージの印面テキストデータｂに対応する店舗情報テーブル８内のデータの店舗名２０２“名古屋駅前”が格納され、発注フラグ３０５、追加登録回数３０６にはそれぞれ初期値である“０”が格納される。
【００３１】
尚、発注フラグ３０５は、印影情報テーブル９に格納されたデータに対応する印影を有する印判が発注されたかどうかを示すデータであり、本実施の形態では未発注の場合は“０”、発注済の場合は“１”としている。又、追加登録回数３０６には、印影情報テーブル９に格納されるデータが後述する印影追加登録処理によるものである場合に、その印影追加登録処理が対象店舗にとって何回目に該当するかを示す追番が格納される。
【００３２】
又、前記ステップＳ１１３の段階で加算される印影登録数２０５は、図１０の例では店舗情報表示領域１０１に表示された店舗情報の印影登録数は“０”となっているので、店舗情報表示領域１０１に表示された店舗情報に対応する店舗情報テーブル８内のデータの印影登録数２０５“０”は“１”に更新される。
【００３３】
そして、前記ステップＳ１１３の処理が完了すると、印影新規登録処理部１５印影の新規登録処理が完了した旨のメッセージをクライアント端末２の表示装置５に表示させた後、図６の初期画面を再度クライアント端末２に転送し（ステップＳ１１４）、その画面を表示装置５に表示させて（ステップＳ１１５）、これにより一つの店舗についての印影の新規登録処理が完了する。この処理を繰り返すことにより、前記店舗情報登録処理により店舗情報が登録されている各店舗について、収納印や受領印として使用される印判の印影の新規登録をすることができる。
【００３４】
このように印影新規登録処理では、前記した店舗情報登録処理により店舗情報が登録された店舗で使用される印判の印影イメージが印判販売者側のサーバー１で生成されてクライアント端末２の表示装置５に表示され、その表示された印影イメージから得られるデータが印影情報テーブル９に格納されるので、本部の担当者は各店舗で使用される印判の印影を容易に決定することができる。
【００３５】
―印判発注―
次に、印影の新規登録がされた店舗の印判を発注する際の処理手順を図１１のフローチャートを基にして説明する。まず、コンビニエンスストアの本部の担当者は、前記した店舗情報登録時や印影新規登録時と同様にクライアント端末２の表示装置に図６の初期画面を表示させて（ステップＳ２０１）、その画面中の「印判発注」の文字をクリックして、印判発注処理開始の要求をサーバー１に送信する（ステップＳ２０２）。
【００３６】
サーバー１がその要求を受信すると、制御装置６の印判発注処理部１６が起動し、まず図１２に示す未発注一覧表示画面をクライアント端末２に転送し（ステップＳ２０３）、その画面を表示装置５に表示させる。（ステップＳ２０４）この未発注一覧表示画面では、印影登録が済んでいる店舗について、その登録された印影を有する印判の発注を済ませていない店舗の店舗ＩＤと店舗名を表示するものであり、印影情報テーブル９内のデータで発注フラグ３０５が未発注であることを示す“０”となっているデータの店舗ＩＤ３０１と、その店舗ＩＤ３０１を基に店舗情報テーブル８内のデータの店舗ＩＤ２０１を参照して得られる店舗名２０２に格納されたデータがそれぞれ表示されるものである。そして、未発注一覧表示画面（図１２）には、それら店舗ＩＤと店舗名と共に、その店舗の印判を発注するかしないかを選択するためのチェックボックス１２１が表示されるので、印判を発注する場合は、該当の店舗に対応するチェックボックス１２１をクリックして発注する店舗を選択した後、画面中の「発注ボタン」１２２をクリックして、印判発注の要求をサーバー１に送信する（ステップＳ２０５）。
【００３７】
サーバー１がその印判発注の要求を受信すると、印判発注処理部１６は未発注一覧表示画面（図１２）のチェックボックス１２１がクリックされて発注要求がされた店舗の店舗ＩＤを読み込んで、その読み込んだ店舗ＩＤを持つ印影情報テーブル９内のデータから得られる印判の生産に必要なデータを生産情報テーブル１１に格納し（ステップＳ２０６）、生産情報テーブル１１にデータが格納されると、印判発注処理部１６は生産情報テーブル１１に格納されたデータに対応する印影情報テーブル９内のデータの発注フラグ３０５を“１”に更新する（ステップＳ２０７）。
【００３８】
ここで、前記ステップＳ２０６の段階で生産情報テーブル１１に格納されるデータとして、図４の受付ＩＤ４０１には生産情報テーブル１１にデータが格納されるごとに自動的に発生する追番、例えば“１”が格納され、受付日４０２には生産情報テーブル１１にデータが格納された時点で自動的に発生する年月日、例えば“２００１／０３／０１”が格納され、印面レイアウト枠４０３には印面のレイアウト枠が丸型なら“丸”、角型なら“角”というように印面レイアウト枠を指定するためのデータが格納され、印面書体４０４には印面の書体が明朝体なら“明朝”、ゴシック体なら“ゴシック”というように印面書体を指定するためのデータが格納され、店名ロゴデータポインタ４０５には印面レイアウトファイル１０に格納された印面レイアウトイメージデータに含まれるコンビニエンスストアの店名ロゴのイメージデータが実際に格納されている場所を特定するためのデータが格納され、印面文字ａ４０６には印影情報テーブル９内のデータの発注要求のあった店舗の店舗ＩＤ３０２が格納され、印面文字ｂ４０７には印影情報テーブル９内のデータの発注要求のあった店舗の印面テキストデータ３０４が格納される。
【００３９】
尚、コンビニエンスストアの各店舗で使用する印判の印面レイアウト枠と印面書体は本部側であらかじめ決められており、その印面レイアウト枠と印面書体は印判販売者側に伝えられて、その印面レイアウト枠と印面書体に対応するデータが生産情報テーブル１１の印面レイアウト枠４０３と印面書体４０４に自動的に格納されるように印判販売者側で予め設定してある。そして、生産情報テーブル１１の印面レイアウト枠４０３と印面書体４０４と店名ロゴデータポインタ４０５に格納されるデータは、印判販売者側の生産部門に設置された印判生産用の端末やサーバーが備えている、印面レイアウト枠のイメージや印面書体や店名ロゴイメージを格納したファイルにそれぞれ関連付けされているものである。
【００４０】
そして、前記ステップＳ２０７の処理が完了すると、印判発注処理部１６は印判発注処理が完了した旨のメッセージをクライアント端末２の表示装置５に表示させた後、図６の初期画面を再度クライアント端末２に転送し（ステップＳ２０８）、その画面を表示装置５に表示させて（ステップＳ２０９）、これにより印判発注処理が完了する。この後、印判販売者側の生産部門の担当者は生産部門に設置された端末を使って生産情報テーブル１１にアクセスし、そこに格納されたデータを生産部門側の生産用テーブルに格納して、そのデータを基に印判を生産することとなる。
【００４１】
このように印判発注処理では、印影情報テーブル９から得られる発注要求のあった印判の生産に必要なデータが生産情報テーブル１１に格納され、その生産情報テーブル１１に格納されたデータは印判販売者側の生産部門にてそのまま印判の生産に利用されることとなるので、本部では印判を発注する際に、発注用紙に印面文字や印面レイアウトを記載する必要がなくなり、印判の発注業務を簡略化することができる。又、印判が発注されてから生産に移るまでの時間も短縮されるので、印判の納期も短縮される。
【００４２】
―店舗情報閲覧―
次に、本部が統括するコンビニエンスストアの各店舗の店舗情報を閲覧する際の処理手順を図１３のフローチャートを基にして説明する。本部の担当者は前記した店舗情報登録時や印影新規登録時などと同様に、クライアント端末２の表示装置５に図６の初期画面を表示させて（ステップＳ３０１）、その画面中の「店舗情報閲覧」の文字をクリックして店舗情報閲覧処理開始の要求をサーバー１に送信する（ステップＳ３０２）。サーバー１がその要求を受信すると、制御装置６の店舗情報閲覧処理部１７が起動し、まず図９に示す店舗情報検索画面をクライアント端末２に転送し（ステップＳ３０３）、その画面を表示装置５に表示させる（ステップＳ３０４）。尚、図９の店舗情報検索画面については前記した印影新規登録処理において説明したので、ここではその画面についての説明は省略する。
【００４３】
そして、担当者は店舗情報検索画面（図９）の店舗ＩＤ入力フィールド９０１又は店舗名入力フィールド９０２のどちらか一方に、店舗情報の閲覧をしたい店舗の店舗ＩＤ又は店舗名を入力し（ステップＳ３０５）、その入力が済んだら「検索ボタン」９０３をクリックして店舗情報検索の要求をサーバー１に送信する（ステップＳ３０６）。サーバー１がその要求を受信すると、店舗情報閲覧処理部１７は店舗情報検索画面（図９）の店舗ＩＤ入力フィールド９０１又は店舗名入力フィールド９０２に入力された店舗ＩＤ又は店舗名を読み込んで、その読み込んだ店舗ＩＤ又は店舗名を有するデータを店舗情報テーブル８の中から検索する（ステップＳ３０７）。
【００４４】
そして、該当するデータが検索されると、店舗情報閲覧処理部１７は検索された店舗情報テーブル８内のデータの印影登録数２０５を参照し、その印影登録数２０５が “０”以外の場合は、その印影登録数２０５に対応する店舗ＩＤ２０１を基にして、その店舗ＩＤを持つデータを印影情報テーブル９の中から検索する（ステップＳ３０８）。尚、前記ステップＳ３０７の段階で検索された店舗情報テーブル８内のデータの印影登録数２０５が“０”の場合、印影情報テーブル９内のデータは検索しない。
【００４５】
そして、該当するデータが検索されると、店舗情報閲覧処理部１７は印影情報テーブル９にて検索されたデータと印面レイアウトファイル１０に格納された印面レイアウトイメージデータを基に印影イメージを生成する（ステップＳ３０９）。この印影イメージの生成処理は、前記ステップＳ３０８の段階で印影情報テーブル９から検索されたデータの店舗ＩＤ３０２と印面レイアウトイメージデータポインタ３０３と印面テキストデータ３０４を参照し、その店舗ＩＤ３０２と印面テキストデータ３０４に格納されたデータと、印面レイアウトイメージデータポインタ３０３に格納されたデータから特定される印面レイアウトファイル１０に格納された印面レイアウトイメージデータを合成して生成するものである。
【００４６】
そして、前記した手順で印影イメージが生成されると、店舗情報閲覧処理部１７は図１４に示す店舗情報閲覧画面をクライアント端末２に転送し（ステップＳ３１０）、その画面を表示装置５に表示させる（ステップＳ３１１）。この店舗情報閲覧画面は前記ステップＳ３０７の段階で店舗情報テーブル８から検索されたデータを表示する店舗情報表示領域１４１と、前記ステップＳ３０９の段階で生成された印影イメージを表示する印影情報表示領域１４２を備えているもので、図１４の例における店舗情報表示領域１４１に表示された店舗情報は、前記ステップＳ３０７の段階で店舗情報テーブル８から検索されたデータが、店舗ＩＤ２０１“０１２３４”、店舗名２０２“名古屋駅前”、オーナー名字２０３“山田”、オーナー名前２０４“太郎”、印影登録数２０５“１”に該当するものである。
【００４７】
又、図１４の例における印影情報表示領域１４２に表示された印影イメージは、前記ステップＳ３０８の段階で印影情報テーブル９から検索されたデータの店舗ＩＤ３０２ “０１２３４”と印面テキストデータ３０４ “名古屋駅前”と、印面レイアウトイメージデータポインタ３０３により特定される印面レイアウトファイル１０に格納された印面レイアウトイメージデータとを合成して生成されたものである。
【００４８】
そして、本部の担当者はクライアント端末２の表示装置５に表示された店舗情報閲覧画面（図１４）にて店舗情報の閲覧を終えたら、その画面中の「終了ボタン」１４３をクリックして店舗情報閲覧処理終了の要求をサーバー１に送信する（ステップＳ３１２）。サーバー１がその要求を受信すると、店舗情報閲覧処理部１７は図６の初期画面を再度クライアント端末２に転送し（ステップＳ３１３）、この画面を表示装置５に表示させて（ステップＳ３１４）、これにより、店舗情報の閲覧処理が完了する。
【００４９】
このように店舗情報閲覧処理では、図１４に示す店舗情報閲覧画面に、店舗名やオーナー名などの店舗情報と共に、その店舗で収納印や受領印として使用されている印判の印影イメージを確認することができる印影情報が表示されるので、この店舗情報閲覧画面の内容を閲覧することができる本部では、各店舗ごとの印判の印影を簡単に確認することができる。
【００５０】
―印影追加登録―
次に、印影登録がされている店舗について印影の追加登録をする際の処理手順を図１５に示すフローチャートを基にして説明する。コンビニエンスストアの本部の担当者は、前記した店舗情報登録時や印影登録時などと同様にクライアント端末２の表示装置５に図６の初期画面を表示させて（ステップＳ４０１）、その画面中の「印影追加登録」の文字をクリックして、印影追加登録処理開始の要求をサーバー１に送信する（ステップＳ４０２）。
【００５１】
サーバー１がその要求を受信すると、制御装置６の印影追加登録処理部１８が起動し、まず図９に示す店舗情報検索画面をクライアント端末２に転送して（ステップＳ４０３）、その画面を表示装置５に表示させる（ステップＳ４０４）。尚、図９の店舗情報検索画面については前記した印影新規登録処理において説明したので、ここではその画面についての説明は省略する。
【００５２】
そして、担当者は店舗情報検索画面（図９）の店舗ＩＤ入力フィールド９０１又は店舗名入力フィールド９０２に印影の追加登録をする店舗の店舗ＩＤ又は店舗名を入力し（ステップＳ４０５）、その入力が済んだら「検索ボタン」９０３をクリックして店舗情報検索の要求をサーバー１に送信する（ステップＳ４０６）。サーバー１がその要求を受信すると、印影追加登録処理部１８は店舗情報検索画面（図９）の店舗ＩＤ入力フィールド９０１又は店舗名入力フィールド９０２に入力された店舗ＩＤ又は店舗名を読み込んで、その読み込んだ店舗ＩＤ又は店舗名を持つデータを店舗情報テーブル８と印影情報テーブル９の中から検索する（ステップＳ４０７）。そして、該当するデータが検索されると、印影追加登録処理部１８は印影情報テーブル９から検索されたデータと印面レイアウトファイル１０に格納された印面レイアウトイメージデータを基にして、異形データが付加された印影イメージを生成する（ステップＳ４０８）。
【００５３】
この異形データが付加された印影イメージの生成処理は、店舗情報テーブル８から検索されたデータの店舗ＩＤ２０１と店舗名２０２をそれぞれ印面テキストデータａ、印面テキストデータｂとして抽出し、その抽出した印面テキストデータａ、ｂと記憶装置７の印面レイアウトファイル１０に格納された固定印字部の印面レイアウトイメージデータを合成し、更に、印影情報テーブル９から検索されたデータの追加登録回数３０６を参照して、そのデータに応じて生成された異形データを前記印面テキストデータｂに付加するものである。
【００５４】
そして、前記の手順で異形データが付加された印影イメージが生成されると、印影追加登録処理部１８は図１６に示す印影追加登録画面をクライアント端末２に転送し（ステップＳ４０９）、その画面を表示装置５に表示させる（ステップＳ４１０）。この印影追加登録画面は前記ステップＳ４０７の段階で店舗情報テーブル８から検索されたデータを表示する店舗情報表示領域１６１と、前記ステップＳ４０８の段階で生成された印影イメージを表示する印影表示領域１６２を備えているものであり、図１６の例における店舗情報表示領域１６１に表示された店舗情報は、前記ステップＳ４０７の段階で店舗情報テーブル８から検索されたデータが、店舗ＩＤ２０１“０１２３４”、店舗名２０２“名古屋駅前”、オーナー名字２０３“山田”、オーナー名前２０４“太郎”、印影登録数２０５“１”に該当するものである。
【００５５】
又、印影表示領域１６２に表示された印影イメージは、前記ステップＳ４０７の段階で店舗情報テーブル８から検索されたデータの店舗ＩＤ２０１“０１２３４”と店舗名２０２“名古屋駅前”をそれぞれ印面テキストデータａ、印面テキストデータｂとして抽出し、その印面テキストデータａ、ｂと印面レイアウトファイル１０に格納された固定印字部の印面レイアウトイメージデータとを合成し、更に前記ステップＳ４０７の段階で印影情報テーブル９から検索されたデータの印影追加回数３０６を参照し、その印影追加回数３０６を基に異形データ“▲１▼”を生成しこれを印面テキストデータｂに付加することにより生成されたものである。
【００５６】
ここで、本実施の形態における異形データは“▲１▼、▲２▼、▲３▼・・・”といった記号のテキストデータとしており、前記ステップＳ４０７の段階で印影情報テーブル９から検索されたデータの追加登録回数３０６が“０”である場合は、その検索されたデータに対応する店舗について印影が追加登録されるとその回数は“１”となるので、この場合における異形データは“▲１▼”となり、前記ステップＳ４０７の段階で印影情報テーブル９から検索されたデータの追加登録回数３０６が“１”である場合には、異形データは“▲２▼”となる。従って、図１６の例における印影表示領域１６２に表示された印影イメージに付加された異形データは“▲１▼”なので、前記ステップＳ４０７の段階で印影情報テーブル９から検索されたデータの追加登録回数３０６は“０”ということになる。尚、異形データは“▲１▼、▲２▼、▲３▼・・・”の他にも“Ａ、Ｂ、Ｃ・・・”のアルファベット文字や、“・”や“．”といったｄｏｔなどであっても良く、既存の印影と追加した印影が異形になるものであれば、異形データの形態は特に問わない。
【００５７】
次に、担当者は印影追加登録画面（図１６）の印影表示領域１６２に表示された印影イメージを確認したら、その画面の「登録ボタン」１６３をクリックして印影追加登録の要求をサーバー1に送信する（ステップＳ４１１）。サーバー１がその要求を受信すると、印影追加登録処理部１８は印影追加登録画面（図１６）の印影表示領域１６２に表示された印影イメージを参照して、その印影イメージを生成する基となっているデータを印影情報テーブル９に格納し（ステップＳ４１２）、印影情報テーブル９にデータが格納されると、印影追加登録処理部１８は印影追加登録画面（図１６）の店舗情報表示領域１６１に表示された店舗情報の基となっている店舗情報テーブル８内のデータの印影登録数２０５を１加算する（ステップＳ４１３）。
【００５８】
ここで、前記ステップＳ４１２の段階で印影情報テーブル９に格納される、図１６の印影表示領域１６２に表示された印影イメージから得られるデータとして、図３の印影ＩＤ３０１には印影情報テーブル９にデータが格納されるごとに自動的に発生する追番が格納され、店舗ＩＤ３０２には図１６の印影表示領域１６２に表示された印影イメージの印面テキストデータａに対応する店舗情報テーブル８の店舗ＩＤ２０１“０１２３４”が格納され、印面レイアウトイメージデータポインタ４０３には図１６の印影表示領域１６２に表示された印影イメージの印面レイアウトイメージデータが実際に格納されている場所を特定する数値や記号などのデータが格納され、印面テキストデータ３０４には図１６の印影表示領域１６２に表示された印影イメージの印面テキストデータｂに対応する店舗情報テーブル８内のデータの店舗名２０２“名古屋駅前”と印影情報テーブル９の追加登録回数３０６を基に生成された異形データ“▲１▼”が一連のテキストデータとして格納され、発注フラグ３０５には未発注であることを示す“０”が格納され、追加登録回数３０６には前記ステップＳ３０６の段階で検索された印影情報テーブル９の追加登録回数３０６“０”に１を加算した“１”が格納される。
【００５９】
又、前記ステップＳ４１３の段階で加算される印影登録数２０５は、図１６の例では、店舗情報表示領域１６１に表示された店舗情報の印影登録数は“１”となっていたので、店舗情報表示領域１６１に表示された店舗情報に対応する店舗情報テーブル８内のデータの印影登録数２０５は“１”から“２”に更新される。
【００６０】
そして、前記ステップＳ４１３の処理が完了すると印影新規登録処理部１８は印影追加登録処理が完了した旨のメッセージをクライアント端末２の表示装置５に表示させた後、図６の初期画面を再度クライアント端末２に転送し（ステップＳ４１４）、その画面を表示装置５に表示させて（ステップＳ４１５）、これにより印影の追加登録処理が完了する。
【００６１】
この印影追加登録処理は既に印影登録された印判と同種の印判を、紛失などにより再度発注する必要が出てきた際に行うものであり、追加登録する印影は既存の登録済の印影と異形になるので、収納印や受領印として使用する印判を紛失した場合には直ちに印影追加登録をし、その追加登録された印影を有する印判を発注しておけば、紛失した印判が受領印として後日不正に使用されたとしても、その紛失した印判の印影と新たに追加発注してコンビニエンスストアの店舗で収納印や受領印として使用している印判の印影は異なるので、その紛失した印判の印影は不正行為によるものであることが判明する。
【００６２】
又、前記した印影の追加登録処理により追加登録した印影を有する印判を発注する場合には、前記の段落番号００３５から段落番号００４１に記載した印判発注処理と同様の処理を行えば良く、又、印影の追加登録がされた店舗の店舗情報を閲覧する場合には、前記の段落番号００４２から段落番号００４９に記載した店舗情報閲覧処理と同様の処理を行えば良い。
【００６３】
そして、印影が追加登録されている店舗の店舗情報を閲覧する場合、前記店舗情報閲覧処理におけるステップＳ３０７の段階で検索される店舗情報テーブル８のデータの印影登録数２０５は“２”あるいは“３”というように複数となり、前記店舗情報閲覧処理におけるステップＳ３０８の段階で検索される印影情報テーブル９内のデータはその印影登録数に対応する２つあるいは３つの複数となり、前記店舗情報閲覧処理におけるステップＳ３０９の段階で生成される印影イメージも２つあるいは３つというように複数生成されるので、前記店舗情報閲覧処理におけるステップＳ３１１の段階でクライアント端末２の表示装置５に表示される店舗情報閲覧画面は図１７に示すように印影イメージが複数表示されることとなる。
【００６４】
そして、図１７に示すように店舗情報閲覧画面の印影表示領域に印影イメージが複数表示された場合には、その印影イメージの印判を収納印や受領印として使用している店舗における印判の管理状況が万全でなく、何度も印判を紛失して追加発注している可能性もあるので、そのような店舗に対しては収納印や受領印として使用する印判の管理状況について本部から注意を促すことも可能となる。
【００６５】
以上が本発明の一実施の形態であるが、前記した実施の形態では、クライアント端末２からの要求に基づくサーバー１の処理速度と、印判販売店の生産部門に設置された印判生産用の端末やサーバーからの要求に基づくサーバー１の処理速度がそれぞれ低下しないようにするために、データベース１２に店舗情報テーブル８と印影情報テーブル９を格納し、データベース１３に生産情報テーブル１１を格納していたが、生産情報テーブル１１をデータベース１２に格納して店舗情報テーブル８と印影情報テーブル９と生産情報テーブル１１を統一して設けても良い。
【００６６】
又、前記した実施の形態では、コンビニエンスストアの業界を例に説明してきたが、本発明はコンビニエンスストアの業界以外にも、収納印や受領印として使用される印判の管理が重要となる銀行や証券といった金融関係等の業界にも適用でき、更には、企業において各社員が使用する印判の印面内容を、各社員を管理する総務や人事部門等で管理する場合にも適用することができる。
【００６７】
【発明の効果】
以上の通り、複数の店舗を統括する本部に設置されたクライアント端末と印判販売店側に設置されたサーバーとをネットワークで接続してなる本発明の印影管理システムでは、クライアント端末から各店舗で使用される印判の印影登録の要求があると、サーバーは要求のあった店舗の印判の印影イメージを生成してその印影イメージを本部側のクライアント端末に表示し、そのクライアント端末に表示された印影イメージから得られるデータをサーバー内の印影情報テーブルに格納するので、本部側では各店舗で使用される印判の印影を容易に決定することができる。
【００６８】
そして、前記したように印影登録がされた店舗についてクライアント端末から印判発注の要求があると、サーバーは前記印影情報テーブルから発注要求のあった印判の生産に必要なデータを得てそのデータを生産情報テーブルに格納し、これにより印影登録時にクライアント端末に表示された印影を有する印判の発注が完了するので、本部側では各店舗で使用される印判を発注する際、従来のように発注用紙に発注する印判の印面文字や印面レイアウトを記載する手間が省け印判の発注業務が簡略化することができ、更に、生産情報テーブルに格納されたデータは印判販売者側の生産部門にてそのまま印判の生産に利用されるので、印判の発注から生産までにかかる時間は短縮され、印判の納期も短縮される。
【００６９】
又、クライアント端末から店舗情報閲覧の要求があると、サーバーは各店舗で使用される印判の印影イメージを各店舗の店舗情報と共にクライアント端末に表示するので、本部側では各店舗の店舗情報とその店舗で使用される印判の印影を閲覧することができる。これにより、収納印や受領印として使用されている各店舗の印判の印影を本部側で一元管理することができるので、払込用紙の払込依頼書の収納印欄や受領書の受領印欄に捺印された印判の印影が、本当にその印影が示す店舗で使用している印判の印影なのかを簡単に確認することができる。
【００７０】
又、収納印や受領印として使用される印判の印影登録がされている店舗についてクライアント端末から印影の追加登録の要求があると、サーバーは異形データが付加された印影イメージを作成してクライアント端末に表示し、その表示された異形データが付加された印影イメージから得られるデータをサーバー内の印影情報テーブル内に格納するので、追加登録される印影は既存の登録済の印影とは異形のものになる。従って、本部が統括する店舗で収納印や受領印として使用している印判を紛失した際、その印判を紛失した店舗は直ちに本部に連絡し、本部はその店舗の印影の追加登録を行ってその印影を有する印判を発注しておけば、紛失した印判が後日受領印として不正に使用されたとしても、その紛失した印判の印影と、新たに追加発注してコンビニエンスストアの店舗で収納印や受領印として使用されている印判の印影は異なるので、紛失した印判の印影は不正行為によるものであると容易に判断できる。更に、本部で各店舗の印影の追加登録を定期的に行ってその追加登録した印影の印判を発注し、各店舗で収納印や受領印として使用される印判の印影を定期的に変更することにより不正行為の防止を図ることもできる。
【００７１】
又、本部が統括する各店舗の店舗情報を閲覧した際、その閲覧画面に店舗情報と共に印影イメージが複数表示された場合には、その印影イメージに対応する印判を収納印や受領印として使用している店舗での印判の管理状況が万全でなく、何度も印判を紛失して発注している可能性があるので、そのような店舗に対しては収納印や受領印として使用する印判の管理について本部から注意を促すことも可能となり、これにより各店舗での収納印や受領印として使用する印判の管理意識の高揚を図ることができる。
【図面の簡単な説明】
【図１】本発明の一実施の形態のシステム構成図。
【図２】本発明の一実施の形態の店舗情報テーブルの構造図。
【図３】本発明の一実施の形態の印影情報テーブルの構造図。
【図４】本発明の一実施の形態の生産情報テーブルの構造図。
【図５】本発明の一実施の形態の店舗情報登録の処理手順を示すフローチャート。
【図６】本発明の一実施の形態の初期画面を示す図。
【図７】本発明の一実施の形態の店舗情報登録画面を示す図。
【図８】本発明の一実施の形態の印影新規登録の処理手順を示すフローチャート。
【図９】本発明の一実施の形態の店舗情報検索画面を示す図。
【図１０】本発明の一実施の形態の印影新規登録画面を示す図。
【図１１】本発明の一実施の形態の印判発注の処理手順を示すフローチャート。
【図１２】本発明の一実施の形態の未発注一覧表示画面を示す図。
【図１３】本発明の一実施の形態の店舗情報閲覧の処理手順を示すフローチャート。
【図１４】本発明の一実施の形態の店舗情報閲覧画面を示す図。
【図１５】本発明の一実施の形態の印影追加登録の処理手順を示すフローチャート。
【図１６】本発明の一実施の形態の印影追加登録画面を示す図。
【図１７】本発明の一実施の形態の印影が追加登録された店舗における店舗情報閲覧画面を示す図。
【符号の説明】
１  サーバー
２  クライアント端末
３  ネットワーク
４  入力装置
５  表示装置
６  制御装置
７  記憶装置
８  店舗情報テーブル
９  印影情報テーブル
１０  印面レイアウトファイル
１１  生産情報テーブル
１２  データベース
１３  データベース
１４  店舗情報登録処理部
１５  印影新規登録処理部
１６  印判発注処理部
１７  店舗情報閲覧処理部
１８  印影追加登録処理部
【図１】
0004459466.tif 000002
【図２】
0004459466.tif 000003
【図３】
0004459466.tif 000004
【図４】
0004459466.tif 000005
【図５】
0004459466.tif 000006
【図６】
0004459466.tif 000007
【図７】
0004459466.tif 000008
【図８】
0004459466.tif 000009
【図９】
0004459466.tif 000010
【図１０】
0004459466.tif 000011
【図１１】
0004459466.tif 000012
【図１２】
0004459466.tif 000013
【図１３】
0004459466.tif 000014
【図１４】
0004459466.tif 000015
【図１５】
0004459466.tif 000016
【図１６】
0004459466.tif 000017
【図１７】
0004459466.tif 000018